(57)【要約】【課題】  ゴキブリ捕獲器の内部が見えにくいゴキブリ捕獲器を提供する。【解決手段】  ゴキブリ捕獲器１は、天板２、側板３、底板４、粘着面１６、剥離紙１７、誘引剤１８から構成され、天板１には差込口１３、差込受け１４、ツマミ１５があり、差込口１３を差込受け１４に差し込む事で、直方体で台形のゴキブリ捕獲器１を形成し、３０度〜４５度の傾斜角度になる側板３には屋根９、切り離し部１０、屋根開け部１１、屋根開けツマミ１２が備えられ、側板３にある屋根開けツマミ１２を起こして、屋根９になる部分を切り離し部１１に沿って側板３から切り離して屋根９を形成し、屋根開け部１１から上部に折り曲げ屋根９を開き、大型進入口５と大型進入窓７を開放する事を特徴とするゴキブリ捕獲器【選択図】図４
2020171268.tif 000002
【特許請求の範囲】
【請求項１】
ゴキブリ捕獲器は、天板、側板、底板、粘着面、剥離紙、誘引剤から構成され、天板には差込口、差込受け、ツマミがあり、差込口を差込受けに差し込む事で、直方体で台形のゴキブリ捕獲器を形成し、３０度〜４５度の傾斜角度になる側板には屋根、切り離し部、屋根開け部、屋根開けツマミが備えられ、側板にある屋根開けツマミを起こして、屋根になる部分を切り離し部に沿って側板から切り離して屋根を形成し、屋根開け部から上部に折り曲げ屋根を開き、大型進入口と大型進入窓を開放する事を特徴とするゴキブリ捕獲器
【発明の詳細な説明】
【技術分野】
【０００１】  本考案は、紙を使用した組み立て式のゴキブリ捕獲器に関する。
【背景技術】
【０００２】  従来の、一般的なゴキブリ捕獲器としては、図５のような紙製の組み立て式のゴキブリ捕獲器が上げられる。【０００３】  紙製のゴキブリ捕獲器は、平面状の一枚の紙で構成されており、左右の一番端にある天板２には、それぞれ差込口１３と差込受け１４があり、差込口１３を差込受け１４に差し込む事で、直方体で台形のゴキブリ捕獲器１が形成される。【０００４】  側板３は、天板２の次にあり、ゴキブリの進入口となる大型進入口５と、大型進入窓７がカットされており、また大型進入窓７がカットされた型に合わせて、屋根９になる部分が設けられている。【０００５】  側板３は、天板２の左右にある差込口１３を、差込受け１４に差し込むと同時に、側板３が内側へ３０度〜４５度程外向きに傾き、大型進入口５を３０度〜４５度の傾斜角度に保つと共に、側板３にカッティングされた大型進入窓７が形成され、それに平行して屋根９部分が上部に開き展開する構造になっている。【０００６】  大型進入口５は、ゴキブリの進入しやすい角度である３０度〜４５度の傾斜角度が良いとされる。この大型進入口５の３０度〜４５度の傾斜角度は、ゴキブリがゴキブリ捕獲器内部に侵入しようとした際に、ゴキブリの触覚部分を粘着面に触れさせない為に必要な角度である。【０００７】  ゴキブリは警戒心が高く、ゴキブリの触覚部分にて様々な情報を得ようとするので、ゴキブリ捕獲器に入ろうとする際にも、ゴキブリ捕獲器の周辺、ゴキブリ捕獲器の外部、あるいは内部に、この触覚を接触させ、さかんに動かす事により安全を確認する。【０００８】  大型進入口５に３０度〜４５度の傾斜角度が無い場合では、ゴキブリの触覚が粘着面１６に触れやすくなる為、ゴキブリは危険を察知し、ゴキブリ捕獲器には入らない。【０００９】  小型進入口６は、底板４の前後に配置されており、天板２の組み立ての際に、側板３を内側に折り曲げると、大型進入口５の側面部分と繋がる小型進入口６の側面部分が、互いに連動して、小型進入口６を内側に押し込み、小型進入口６と小型進入窓８を形成するパターンと、手動にて小型進入口６を内側に折り曲げて、小型進入口６と小型進入窓８を形成するパターンがある。【００１０】  底板４は、ゴキブリ捕獲器１の中央に位置し剥離紙１７と粘着面１６が備わっている。【００１１】  底板４の剥離紙１７を剥がし、粘着面１６を露出させ、粘着面１６の中央部に誘引剤１８を置く事で、誘引剤１８でゴキブリをゴキブリ捕獲器内部へと誘引し、ゴキブリ捕獲器内部に侵入したゴキブリは粘着面１６で捕獲される。【００１２】  従来の市販品のゴキブリ捕獲器の多くは以下の特徴で構成される。【００１３】  第一にゴキブリ捕獲器の大型進入口、小型進入口の傾斜角度は３０度〜４５度である。【００１４】  この角度は、ゴキブリがゴキブリ捕獲器に侵入しようとした際に、ゴキブリの触覚を粘着面に触れされない為に必要な角度である。【００１５】  大型進入口、小型進入口に傾斜角度を設けない場合には、ゴキブリ捕獲器の粘着面に、ゴキブリの触覚が触れやすくなり、捕獲率が大幅に下がる【００１６】  第二にゴキブリ捕獲器の高さは２〜３ｃｍ以内であり、大型進入窓の高さは１〜２ｃｍ以上ある。【００１７】  この大型進入窓の高さ���、ゴキブリが大型進入口をよじ登り、大型進入窓からゴキブリ捕獲器内部に入ろうとした際に、ゴキブリの触覚が、天板の下側に当たり、触覚が折り曲げれられて、粘着面に触れさせない為に必要な高さである。【００１８】  ゴキブリの触覚を天板の下側に触れさせない為には、大型進入窓には一定の高さが必要になるので、高さ２ｃｍ以下のゴキブリ捕獲器を作ろうとした場合、やはり捕獲率が大幅に下がる。【００１９】  大型進入窓は一定の高さ１〜２ｃｍが必要になる為、大型進入窓からゴキブリ捕獲器の内部が見えやすくなり、捕獲されたゴキブリを確認しやすくもなるが、人によっては捕獲されたゴキブリを見て不快に感じる原因にもなっている。
【発明の開示】
【発明が解決しようとする課題】
【００２０】  ゴキブリ捕獲器の内部が見えにくいゴキブリ捕獲器を提供する。
【課題を解決する為の手段】
【００２１】  ゴキブリ捕獲器１は、天板２、側板３、底板４、粘着面１６、剥離紙１７、誘引剤１８から構成され、天板１には差込口１３、差込受け１４、ツマミ１５があり、差込口１３を差込受け１４に差し込む事で、直方体で台形のゴキブリ捕獲器１を形成し、３０度〜４５度の傾斜角度になる側板３には屋根９、切り離し部１０、屋根開け部１１、屋根開けツマミ１２が備えられ、側板３にある屋根開けツマミ１２を起こして、屋根９になる部分を切り離し部１１に沿って側板３から切り離して屋根９を形成し、屋根開け部１１から上部に折り曲げ屋根９を開き、大型進入口５と大型進入窓７を開放する。
【発明の効果】
【００２２】  本考案のゴキブリ捕獲器では以下の効果がある。
【００２３】  従来のゴキブリ捕獲器では、大型進入窓の高さは１ｃｍ〜２ｃｍが必要であった。この大型進入窓の高さは、ゴキブリが大型進入口をよじ登り、大型進入窓からゴキブリ捕獲器内部に入ろうとした際に、ゴキブリの触覚が、天板の下側に当たり、触覚が折り曲げれられて、粘着面に触れさせない為に必要な高さである。
【００２４】  また、大型進入口と小型進入口には３０度〜４５度の傾斜角度が設けてあり、この傾斜角度は、ゴキブリがゴキブリ捕獲器に進入しようとした際に、ゴキブリの触覚を粘着面に触れされない為に必要な傾斜角度である。
【００２５】  （００２３）〜（００２４）の理由により、従来のゴキブリ捕獲器の大きさは、１ｃｍ〜２ｃｍの大型進入窓の高さと、３０度〜４５度の傾斜角度の大型進入口が必要になり、ゴキブリ捕獲器の内部は、斜め外上向きの大型進入窓から丸見えになっていた。
【００２６】  その為、捕獲されたゴキブリが大型進入窓から常時見えてしまい不快な面もあった。
【００２７】  本考案のゴキブリ捕獲器では、ゴキブリ捕獲器を組み立てた際に、通常の使用時には側板３の大型進入口５と大型進入窓７は閉じられているため、ゴキブリ捕獲器の内部を外から見ることはできない。
【００２８】  側板３の大型進入口５と大型進入窓７は必要に応じて開放する事ができる。
【００２９】  ゴキブリが多くいる場合には側板３の大型進入口５と大型進入窓７は開放する事で、小型進入口６と小型進入窓８の進入入り口とは別に、大型進入口５と大型進入窓７からの進入入り口を増やす事ができる。
【００３０】  側板３の大型進入口５と大型進入窓７を開放した場合では、大型進入口５と大型進入窓７を閉じた状態より風通しが良くなり、誘引剤１８の匂いで誘引する効果を広げる事ができると同時に、大型進入窓７から内部が見えやすくなる為、ゴキブリ捕獲器に捕まったゴキブリの数を確認しやすくなる効果がある。
【００３１】  また、縦置きする場合にも屋根９部分を土台にして縦に設置する事ができる。縦置きにする場合には、側板３の屋根９にある縦置き進入窓１９を内側に押し込み開ける。
【００３２】  （００２７）〜（００３１）のように、屋根を開閉する手段を設けた事で、用途に応じて使い分けする事ができる。
【発明を実地する為の最良の形態】
【００３３】  ゴキブリ捕獲器１から、底板４にある剥離紙１７を引き剥がし、粘着面１６を露出させる。粘着面１６の中央部には、誘引剤１８を設置する。
【００３４】  ゴキブリ捕獲器１の、左右にある天板２を内側へと折りたたみ、天板２の左右の端にある差込口１３と差込受け１４を使用し、お互いに差込んで組むと、直方体で台形のゴキブリ捕獲器（図２）が形成される。
【００３５】  側板３は、天板２の左右の端にある差込口１３を、差込受け１４に差し込むと同時に、側板３が内側へと斜めに３０度〜４５度程に傾き、大型進入口５を３０度〜４５度の傾斜角度に形成する。
【００３６】  小型進入口６は、底板４の前後に配置されており、天板２の組み立ての際に、側板３を内側に折り曲げると、大型進入口５の側面部分と繋がる小型進入口６の側面部分が、互いに連動して、小型進入口６を内側に押し込み、小型進入口６と小型進入窓８を形成する。
【００３７】  大型進入口５と大型進入窓７は必要に応じて開放する。
【００３８】  大型進入口５と大型進入窓７を開放する場合には、側板３にある屋根開けツマミ１２から起こして、屋根９になる部分を切り離し部１０に沿って側板３から切り離して屋根９を形成し、屋根開け部１１より上部に折り曲げ屋根９を開き、大型進入口５と大型進入窓７を開放する。
【００３９】  また、ゴキブリ捕獲器１を縦置きにする場合には、縦置き進入窓１９を内側に押し込んで開け、屋根９を土台にして、縦に置けばよい
【００４０】  半円形状にカットされたツマミ１５を起こすことで、ツマミ１５を取っ手にする事ができる。
【００４１】  （００３３）〜（００４０）により、ゴキブリ捕獲器を組み立てる事ができる。
【００４２】  組み立てたゴキブリ捕獲器は、台所の隅や流し台の下など、ゴキブリの発生源になる場所に設置すると良い。
【図面の簡単な説明】
【００４３】
【図１】  ゴキブリ捕獲器を示した展開図である。
【図２】  ゴキブリ捕獲器を示した側面断面図である。
【図３】  ゴキブリ捕獲器の屋根を展開した状態を示した側面断面図である。
【図４】  ゴキブリ捕獲器の片方の屋根を展開した状態を示した側面断面図である。
【図５】  従来のゴキブリ捕獲器を示した側面断面図である。
【符号の説明】
【００４４】  １  ゴキブリ捕獲器
２  天板
３  側板
４  底板
５  大型進入口
６  小型進入口
７  大型進入窓
８  小型進入窓
９  屋根
１０  切り離し部
１１  屋根開け部
１２  屋根開けツマミ
１３  差込口
１４  差込受け
１５  ツマミ
１６  粘着面
１７  剥離紙
１８  誘引剤
１９  縦置き進入窓
【図１】
2020171268.tif 000003
【図２】
2020171268.tif 000004
【図３】
2020171268.tif 000005
【図４】
2020171268.tif 000006
【図５】
2020171268.tif 000007